(57)【要約】【課題】利用者に告知するＵＲＬを１つとすることが可能であり、そして、複数形式の情報通信処理機器の利用者からのアクセスに対し、各形式を認識し、その形式に合ったホームページ情報をその情報通信処理機器に表示可能なホームページ情報を送信可能な複数形式対応型ホームページ機器及びコンピュータ・ソフトウエアを提供する。【解決手段】ネットワーク回線網５を介して接続した複数の形式の情報通信処理機器３、４にホームページ情報を送信する機能を有する複数形式対応型ホームページ機器１であって、複数形式の情報通信処理機器３、４からのホームページ情報閲覧要求を受信する受信部１１と、受信した情報通信処理機器の形式を認識する認識部１２と、複数形式の情報通信処理機器に対応するホームページ情報を格納する格納部１３と、認識した形式に対応するホームページ情報を格納部１３から読取る読取部１４と、読取ったホームページ情報を該当する情報通信処理機器３、４に送信する送信部１５とを備える。【選択図】        図１
2004240570.tif 000002
【特許請求の範囲】
【請求項１】
ネットワーク回線網を介して接続した複数の形式の情報通信処理機器からのホームページ情報閲覧要求に対し該形式に合ったホームページ情報を送信する機能を有する複数形式対応型ホームページ機器であって、
前記複数形式の情報通信処理機器からのホームページ情報閲覧要求を受信する受信部と、該受信部が受信した情報通信処理機器の形式を認識する認識部と、複数形式の情報通信処理機器に対応するホームページ情報を格納する格納部と、認識部で認識した形式に対応するホームページ情報を格納部から読取る読取部と、該読取部で読取ったホームページ情報を該当する情報通信処理機器に送信する送信部とを備えることを特徴とする複数形式対応型ホームページ機器。
【請求項２】
請求項１記載の複数形式対応型ホームページ機器において、
上記情複数の形式の報通信処理機器の一つは、パソコンであることを特徴とする複数形式対応型ホームページ機器。
【請求項３】
請求項１記載の複数形式対応型ホームページ機器において、
上記複数の形式の情報通信処理機器の一つは、携帯電話端末であることを特徴とする複数形式対応型ホームページ機器。
【請求項４】
ネットワーク回線網を介して接続した複数の形式の情報通信処理機器からのホームページ情報閲覧要求に対し該形式に合ったホームページ情報を送信する機能を有する複数形式対応型ホームページ機器に使用されるコンピュータ・ソフトウエアであって、
前記複数形式の情報通信処理機器からのホームページ情報閲覧要求を受信する受信機能と、該受信機能で受信した情報通信処理機器の形式を認識する認識機能と、複数形式の情報通信処理機器に対応するホームページ情報を格納する格納機能と、認識機能で認識した形式に対応するホームページ情報を格納部から読取る読取機能と、該読取機能で読取ったホームページ情報を該当する情報通信処理機器に送信する送信機能とをコンピュータに実現させるプログラムからなるコンピュータ・ソフトウエア。
【発明の詳細な説明】
【０００１】
【発明の属する技術分野】
本発明は、複数形式対応型ホームページ機器及びコンピュータ・ソフトウエアであり、特にネットワーク回線網を介して接続した複数の形式の情報通信処理機器からのホームページ情報閲覧要求に対しその形式に合ったホームページ情報を送信することができるホームページ機器に関する。
【０００２】
【従来の技術】
複数のコンピュータを通信回線で接続し、コンピュータ間での情報の伝送と共有を可能とするシステムが構築されており、公開できる情報（ホームページ情報）を蓄積したサーバに対し、パソコン等を利用してアクセスして、必要な情報を得ることが行われている。最近、パソコン等の代りに、移動しながらの通信を可能とする携帯電話端末を使用することが実用化されているが、携帯電話端末は、パソコン等と比較して表示画面が小さいため、一度に表示可能な情報量が少なく、パソコンでは適切に表示可能なホームページ情報について、一部分しか表示することができず、利用者にとってスクロールしながら見る等の操作が必要となる等、不便であった。
【０００３】
携帯電話端末専用のホームページも開設されており、その形式の携帯電話機器の利用者には不自由なく閲覧することができるが、他の形式の携帯電話端末にとっては、部分的な表示になる等、不都合であった。
【０００４】
そのため、複数の形式の情報通信処理機器用のホームページ情報を提供するには、各形式に対応するホームページ毎にＵＲＬ（地域アドレス）を用意する必要があるため、多数のＵＲＬが必要となり、ＵＲＬを利用者に告知する際等には、それぞれのＵＲＬを知らせなければならないとう問題が生じていた。
【０００５】
【発明が解決しようとする課題】
本発明は、従来の問題を解決するものであり、利用者に告知するＵＲＬを１つとすることが可能であり、そして、複数形式の情報通信処理機器の利用者からのアクセスに対し、各形式を認識し、その形式に合ったホームページ情報をその情報通信処理機器に表示可能なホームページ情報を送信可能な複数形式対応型ホームページ機器及びコンピュータ・ソフトウエアを提供することを目的とする。
【０００６】
【課題を解決するための手段】
本発明は、ネットワーク回線網を介して接続した複数の形式の情報通信処理機器からのホームページ情報閲覧要求に対し該形式に合ったホームページ情報を送信する機能を有する複数形式対応型ホームページ機器であって、前記複数形式の情報通信処理機器からのホームページ情報閲覧要求を受信する受信部と、該受信部が受信した情報通信処理機器の形式を認識する認識部と、複数形式の情報通信処理機器に対応するホームページ情報を格納する格納部と、認識部で認識した形式に対応するホームページ情報を格納部から読取る読取部と、該読取部で読取ったホームページ情報を該当する情報通信処理機器に送信する送信部とを備える複数形式対応型ホームページ機器である。
【０００７】
また、本発明は、上記情複数の形式の報通信処理機器の一つは、パソコンである複数形式対応型ホームページ機器である。
【０００８】
そして、本発明は、上記複数の形式の情報通信処理機器の一つは、携帯電話端末である複数形式対応型ホームページ機器である。
【０００９】
更に、本発明は、ネットワーク回線網を介して接続した複数の形式の情報通信処理機器からのホームページ情報閲覧要求に対し該形式に合ったホームページ情報を送信する機能を有する複数形式対応型ホームページ機器に使用されるコンピュータ・ソフトウエアであって、前記複数形式の情報通信処理機器からのホームページ情報閲覧要求を受信する受信機能と、該受信機能で受信した情報通信処理機器の形式を認識する認識機能と、複数形式の情報通信処理機器に対応するホームページ情報を格納する格納機能と、認識機能で認識した形式に対応するホームページ情報を格納部から読取る読取機能と、該読取機能で読取ったホームページ情報を該当する情報通信処理機器に送信する送信機能とをコンピュータに実現させるプログラムからなるコンピュータ・ソフトウエアである。
【００１０】
【発明の実施の形態】
発明の実施の形態を説明する。
本発明の複数形式対応型ホームページ機器の一実施例について、図１〜図３を用いて説明する。図１は、実施例の複数形式対応型ホームページ機器の説明図である。図２は、実施例の複数形式対応型ホームページ機器の内部の説明図である。図３は、実施例の複数形式対応型ホームページ機器の格納部の説明図である。
【００１１】
実施例を説明する。本実施例の複数形式対応型ホームページ機器１は、図１に示すように、公衆電話回線網、携帯電話回線網等のネットワーク回線網５を介してパソコン３、携帯電話端末４等の複数の形式の情報通信処理機器に接続され、パソコン３、携帯電話端末４等からのホームページ情報送信要求に対し、その形式に合ったホームページ情報を送信することができる。
【００１２】
複数形式対応型ホームページ機器１は、例えばサーバ等からなり、図２に示すように、受信部１１、認識部１２、格納部１３、読取部１４、送信部１５を有する。受信部１１は、アクセスしてきたパソコン３、携帯電話端末４等のホームページ情報送信要求を受信する。受信部１１で受信したホームページ情報送信要求は、閲覧要求した情報通信処理機器に関する情報、例えば閲覧元アドレス等とともに作成した受信ファイルに格納される。認識部１２は、閲覧要求した情報通信処理機器３、４の形式、例えばパソコン、携帯電話Ａ、Ｂ、…等を認識する。格納部１３は、複数形式の情報通信処理機器３、４に対応するホームページ情報を格納する。格納部１３の一例は後述する。読取部１４は、認識部１２で認識した形式に合ったホームページ情報を格納部１３から読取る。送信部１５は、読取部１４で読取ったホームページ情報を該当する情報通信処理機器３、４に送信する。受信ファイルに格納されたＵＲＬ等を使用して送信する。
【００１３】
格納部１３に格納される複数の情報通信処理機器に対応するホームページ情報の一例について、図３を用いて説明する。格納部１３には、利用者が情報通信処理機器３、４で閲覧要求するために指定したホームページのＵＲＬに対応するファイル（ｈｏｍｅ）２１がある。ファイル（ｈｏｍｅ）２１の下位に、ファイル（携帯電話Ａ用）２２、ファイル（携帯電話Ｂ用）２３、ファイル（携帯電話Ｃ用）２４、ファイル（ＰＣ用）２５等がある。それぞれのファイルには、各形式に合ったホームページ情報が格納されている。そして、認識部１２で認識した情報通信処理機器の形式に対応するファイルが選択され、例えばアクセスしてきた情報通信処置機器が携帯電話Ａであると、ファイル（携帯電話Ａ用）２２が選択され、そのファイルに格納されたホームページ情報が送信される。そのため、例えば携帯電話Ａは、携帯電話Ａ用のホームページ情報を受信するため、適切に表示することができる。したがって、利用者は自己の情報通信処理機器の形式を特に知らなくても、ホームページのＵＲＬを指定することにより、形式に合ったホームページ情報を送信してもらって閲覧することができる。
【００１４】
なお、上記実施例では、複数形式対応型ホームページ機器を説明したが、複数形式の情報通信処理機器からのホームページ情報閲覧要求を受信する受信機能と、該受信機能で受信した情報通信処理機器の形式を認識する認識機能と、複数形式の情報通信処理機器に対応するホームページ情報を格納する格納機能と、認識機能で認識した形式に対応するホームページ情報を格納部から読取る読取機能と、該読取機能で読取ったホームページ情報を該当する情報通信処理機器に送信する送信機能とをコンピュータに実現させるプログラムからなるコンピュータ・ソフトウエアを使用することにより、例えばサーバを本発明の複数形式対応型ホームページ機器とすることができる。
【００１５】
【発明の効果】
本発明によれば、利用者に告知するＵＲＬを１つとすることが可能であり、そして、複数形式の情報通信処理機器の利用者からのアクセスに対し、各形式を認識し、その形式に合ったホームページ情報をその情報通信処理機器に表示可能なホームページ情報を送信可能な複数形式対応型ホームページ機器を得ることができる。
【図面の簡単な説明】
【図１】実施例の複数形式対応型ホームページ機器の説明図。
【図２】実施例の複数形式対応型ホームページ機器の内部の説明図。
【図３】実施例の複数形式対応型ホームページ機器の格納部の説明図。
【符号の説明】
１  ホームページ機器
１１  受信部
１２  認識部
１３  格納部
１４  読取部
１５  送信部
２１〜２５  ファイル
３  パソコン
４  携帯電話端末
５  ネットワーク回線網
【図１】
2004240570.tif 000003
【図２】
2004240570.tif 000004
【図３】
2004240570.tif 000005